(57)【要約】【課題】監視モードへの遷移及び解除が容易な携帯端末装置を提供する。【解決手段】加速度センサ１０３や照度センサ１０４等によって検知された携帯端末装置１の周辺状況を示す情報から、携帯端末装置１の置かれている状態を確認する。確認の結果、携帯端末装置がユーザから離れている場合など、監視モードへ切り替えるべき状態にあると判断された場合には、監視モードへと切り替える。また、監視モード中にユーザが携帯端末装置１の照度センサ窓５を指などでかざすことにより、監視モードを解除する。【選択図】図１
2011228872.tif 000002
【特許請求の範囲】
【請求項１】
携帯端末装置であって、
前記携帯端末装置の周辺状況を示す情報を検知する検知手段と、
前記検知手段によって検知された前記携帯端末装置の周辺状況の情報から、前記携帯端末装置が動作モードを監視モードへ切り替えるべき所定の状態にあるか否かを判定する判定手段と、
前記所定の状態にある場合に、前記携帯端末装置の動作モードを監視モードへ切り替える切替手段と
を備えることを特徴とする携帯端末装置。
【請求項２】
前記携帯端末装置は、更に、
前記検知手段によって検知された、前記携帯端末装置の周辺状況を示す情報が、前記携帯端末装置の状態を示すパターンのいずれに合致するかを識別するモデルパターン手段を備え、
前記判定手段は、前記モデルパターン手段が識別したパターンを用いて、前記携帯端末装置が前記所定の状態にあるか否かを判定する
ことを特徴とする請求項１記載の携帯端末装置。
【請求項３】
前記携帯端末装置は、更に、
前記モデルパターン部が識別したパターンを時系列的に記憶する記憶手段を備え、
前記判定手段は、前記記憶手段に時系列的に記憶されているパターンの系列を用いて、前記所定の状態にあるか否かを判定する
ことを特徴とする請求項２記載の携帯端末装置。
【請求項４】
前記判定手段は、前記パターンの系列が、前記携帯端末装置がユーザから離れた場合に検知されるべき系列に合致している場合に、前記所定の状態にあると判定することを請求項３に記載の携帯端末装置。
【請求項５】
前記検知手段は、加速度センサ、照度センサのいずれかを含むことを特徴とする請求項４記載の携帯端末装置。
【請求項６】
前記携帯端末装置が前記所定の状態にあると判定する条件は、前記ユーザによって変更可能であることを特徴とする請求項４に記載の携帯端末装置。
【請求項７】
前記判定手段は、前記携帯端末装置が監視モードで動作している場合に、前記検知手段による検知結果が所定の解除条件を満たしているか否かを判定し、
前記切替手段は、判定手段によって前記解除条件が満たされたと判定された場合に、前記携帯端末装置の前記監視モードを解除する
ことを特徴とする請求項１に記載の携帯端末装置。
【請求項８】
前記検知手段は、照度センサを含み、
前記判定手段は、前記検知手段は、照度センサを含み、前記判定手段は、前記照度センサによって検知される環境光が所定の態様で変化する場合に、前記解除条件が満たされたと判定する
請求項７記載の携帯端末装置。
【請求項９】
携帯端末装置の制御方法であって、
前記携帯端末装置の周辺状況を示す情報を検知する検知ステップと、
前記検知ステップによって検知された前記携帯端末装置の周辺状況の情報から、前記携帯端末装置が動作モードを監視モードへ切り替えるべき所定の状態にあるか否かを判定する判定ステップと、
前記所定の状態にある場合に、前記携帯端末装置の動作モードを監視モードへ切り替える切替ステップと
を含むことを特徴とする制御方法。
【請求項１０】
携帯端末装置の制御プログラムであって、
前記携帯端末装置の周辺状況を示す情報を検知する検知ステップと、
前記検知ステップによって検知された前記携帯端末装置の周辺状況の情報から、前記携帯端末装置が動作モードを監視モードへ切り替えるべき所定の状態にあるか否かを判定する判定ステップと、
前記所定の状態にある場合に、前記携帯端末装置の動作モードを監視モードへ切り替える切替ステップと
を含むことを特徴とする制御プログラム。
【発明の詳細な説明】
【技術分野】
【０００１】
本発明は、個人情報等を記憶している携帯端末装置に関するものである。
【背景技術】
【０００２】
近年、携帯電話機などの携帯端末装置は、音声通話や携帯電話・ＰＨＳで使用可能な通信機能、および、タッチパネルや１０Ｍ以上の高画質カメラやＨＤムービーを備えるなど高機能化・多様化してきている。特に、本格的なネットワーク機能を備えたスマートフォンなどの普及にはめざましいものがある。これに伴い、ユーザは単に携帯端末装置の通話機能やメール機能を使うだけでなく、電子マネーの入金、チケットのダウンロードや商品の支払いや、レジで携帯端末装置をかざすだけで支払いなどを可能にするクレジット機能を、広く使うようになっている。
【０００３】
このように、携帯端末装置は、日常生活においても密接に関わってきている。このような場合、ユーザの個人情報が携帯端末装置内に記録されることが多く、携帯端末装置からの個人情報等のプライバシーに関わる情報の漏洩が問題となっている。
【０００４】
また、携帯端末装置のセキュリティ対策に関する従来技術としては、特許文献１に開示された発明が公知である。特許文献１には、携帯端末装置にあるロック機能（セキュリティロック）を設定したあと、第三者による覗き見行為であるキー操作を監視する機能を設けて、第三者による不正なキー操作の動作ログを記録する機能が開示されている。また、特許文献１には、不正アクセス時、不正ユーザに警告情報を画面表示する発明も開示されており、これらによって個人情報の漏洩によるトラブルを回避する技術が開示されている。
【先行技術文献】
【特許文献】
【０００５】
【特許文献１】特開２００６−０６０６８５号公報
【発明の概要】
【発明が解決しようとする課題】
【０００６】
従来の携帯端末装置における第三者による覗き見防止機能は、ユーザが携帯端末装置のメニュー画面をキー操作してセキュリティロックを実行、解除を行っているため、セキュリティロックの機能を実行することが非常に面倒である。また、セキュリティロックをユーザの手動操作によって行っているため、個人情報の保護が必要な状況のときにセキュリティロックをし忘れることがある。そのため、これまでの覗き見防止機能では、実使用に当たっての課題が多く、ユーザがこの機能を使用する使用率を低下させる要因となっていた。
【０００７】
このような問題に鑑み、本発明は、第三者による携帯端末装置の覗き見行為を未然に回避する監視モードへの切替、及び、監視モード解除を自動的に行うことの出来る携帯端末携帯端末装置のプライバシー監視システムおよびプログラムを提供することを目的としている。
【課題を解決するための手段】
【０００８】
上記の目的を達成するため、本発明に係る携帯端末装置は、前記携帯端末装置の周辺状況を示す情報を検知する検知手段と、前記検知手段によって検知された前記携帯端末装置の周辺状況の情報から、前記携帯端末装置が動作モードを監視モードへ切り替えるべき所定の状態にあるか否かを判定する判定手段と、前記所定の状態にある場合に、前記携帯端末装置の動作モードを監視モードへ切り替える切替手段とを備える。
【発明の効果】
【０００９】
本発明に係る携帯端末装置は、検知手段によって検知された携帯端末装置の周辺状況の情報から、携帯端末装置が所定の条件を満たす状態にあるか否かを判定して、動作モードを監視モードへ切り替える。この構成により、本発明に係る携帯端末装置は、監視モードへ移行させるためにユーザが行わなくてはならない操作を省略、もしくは簡略化することができる。
【００１０】
本発明の他の態様に係る携帯端末装置は、更に、前記検知手段によって検知された、前記携帯端末装置の周辺状況を示す情報が、前記携帯端末装置の状態を示すパターンのいずれに合致するかを識別するモデルパターン手段を備え、前記判定手段は、前記モデルパターン手段が識別したパターンを用いて、前記携帯端末装置が前記所定の状態にあるか否かを判定する。
【００１１】
この構成によれば、携帯端末装置は、検知手段によって検知された結果をパターンに識別した上で判定を行う。検知手段の検知結果をそのまま利用して判定を行う場合よりも、判定の条件を管理しやすくなる。
【００１２】
本発明の他の態様に係る前記携帯端末装置は、更に、前記モデルパターン部が識別したパターンを時系列的に記憶する記憶手段を備え、前記判定手段は、前記記憶手段に時系列的に記憶されているパターンの系列を用いて、前記所定の状態にあるか否かを判定する。
【００１３】
この構成によれば、携帯端末装置は、記憶手段に時系列的に記憶されているパターンの系列を用いて、監視モードへの切替を行うか否かを判定する。したがって、例えば、携帯端末装置が机に置かれて静止したなどの時系列的に変化する状況を、監視モードへの切り替えの判定に利用できる。
【００１４】
本発明の他の態様に係る携帯端末装置は、前記判定手段は、前記パターンの系列が、前記携帯端末装置がユーザから離れた場合に検知されるべき系列に合致している場合に、前記所定の状態にあると判定する。
【００１５】
この構成によれば、携帯端末装置は、携帯端末装置がユーザから離れたと推測される場合に監視モードに遷移する。したがって、ユーザにとって望ましいタイミングで監視モードに遷移させることができる。
【００１６】
本発明の他の態様に係る携帯端末装置は、前記検知手段は、加速度センサ、照度センサのいずれかを含むことを特徴とする。
【００１７】
この構成によれば、携帯端末装置は、自身に対して与えられた加速度もしくは携帯端末装置の環境光の変化に応じて監視モードへ遷移する。したがって、携帯端末装置がユーザに所持されている場合と、ユーザから離れている場合とで変化する可能性の高い周辺状況を元に、監視モードへ遷移すべきか否かを判定することができる。
【００１８】
本発明の他の態様に係る携帯端末装置は、前記携帯端末装置が前記所定の状態にあると判定する条件は、前記ユーザによって変更可能であることを特徴とする。
【００１９】
この構成によれば、ユーザはモード切替の条件を自身に適したものに設定することが出来る。
【００２０】
本発明の他の態様に係る携帯端末装置は、前記判定手段は、前記携帯端末装置が監視モードで動作している場合に、前記検知手段による検知結果が所定の解除条件を満たしているか否かを判定し、前記切替手段は、判定手段によって前記解除条件が満たされたと判定された場合に、前記携帯端末装置の前記監視モードを解除する。
【００２１】
この構成により、本発明に係る携帯端末装置は、監視モードへ移行させるためにユーザが行わなくてはならない操作を省略、もしくは簡略化することができる。
【００２２】
本発明の他の態様に係る携帯端末装置は、前記検知手段は、照度センサを含み、前記判定手段は、前記照度センサによって検知される環境光が所定の態様で変化する場合に、前記解除条件が満たされたと判定する。
【００２３】
この構成により、本発明に係る携帯端末装置は、照度センサに対して指をかざすなどの簡易な操作で監視モードを解除することができる。
【図面の簡単な説明】
【００２４】
【図１】本実施形態の携帯電話機１の構成を模式的に示す図。
【図２】本実施形態の携帯電話機１の内部構成を模式的に示す図。
【図３】本実施形態の携帯電話機１の監視モードへの切り替えの動作を示すフローチャート。
【図４】本実施形態の携帯電話機１の構成における他の一例を示す図。
【図５】本実施形態の携帯電話機１のモデルパターン部のモデル例を示す図。
【図６】本実施形態の携帯電話機１の判定部の判定系列例を示す図。
【図７】本実施形態の携帯電話機１の監視モードの解除の動作を示すフローチャート。
【発明を実施するための形態】
【００２５】
以下、本実施形態の携帯端末装置のプライバシー監視システムおよび制御プログラムについて、図面を参照しながら説明する。なお、本実施形態は、以下に述べるものに限定されず、その趣旨を逸脱しない範囲においては変更可能である。
【００２６】
（実施の形態）
本実施形態では、携帯端末装置として携帯電話機を用いて説明する。図１は、本実施形態の携帯電話機の構成の一例を示す外観図である。
【００２７】
本実施形態の携帯電話機は、下ユニット部４と上ユニット部３とヒンジ部８からなり、折畳み可能に構成されている。以下に各部の説明をする。
【００２８】
最初に下ユニット部４について説明する。
【００２９】
下ユニット部４は、キー操作部７とマイク６と照度センサ５と開閉センサとスピーカ１１と携帯電話機１に内蔵されている加速度センサとを備えている
キー操作部７は、携帯電話機１の各操作をおこなうものであり、ユーザはキー操作部７を使い使用目的に合わせた操作をおこなう。なお、本実施形態では、携帯電話機１の監視モード遷移方法と監視モード解除方法に関わる設定・制御もキー操作部を使っておこなう。マイク６は外部音や通話音を送話音として出力する。
【００３０】
照度センサ窓５は、周辺の環境光の強さの検知に用いられる。検知した環境光の強さは、例えば、携帯電話機１の表示部９の明るさの変更に使われる。また、本実施の形態では、特に、ユーザは、照度センサ窓５を指でかざしてセンサの明るさ検知を制御することにより、携帯電話機１の動作モードを監視モードへ遷移させたり、監視モードを解除させたりすることができる。なお、照度センサ窓５は、ユーザの手に触れやすい下ユニット４に設けられることが好ましい。ただし、この照度センサ窓５の位置は、ユーザが携帯電話機１を操作する際に、ユーザの手で触れ易い位置であれば、下ユニット４に限るものではない。本実施携帯では、照度センサ窓５は、キー操作部７とヒンジ部８の間に設けられている。なお、監視モード中の動作は従来技術におけるセキュリティロックが設定された場合の動作と同様である。また、監視モードへ遷移したり、監視モードを解除したりする条件の詳細については後述する。
【００３１】
開閉センサは、携帯電話機１が開いているか閉じているかの開閉状態を検知するセンサである。スピーカ１１は、Ｗｅｂコンテンツや携帯電話機内の音声データやコンテンツデータを音声化して出力する。
【００３２】
加速度センサは、ユーザが携帯電話機１を持ち運ぶとき等に外部から受ける揺れの大きさを加速度として検知する。たとえば、ユーザが、かばんに入れている携帯電話機１を取り出して机の上に置くような移動や、机の上に置いたときの衝撃を加速度として検知する。すなわち、加速度センサは、ユーザが携帯電話機１をどのような状態で移動または静止しているかを検知するために用いられる。本実施形態の携帯電話機１は、ユーザが携帯電話機１を手から離した動作を行った場合などに、その動作に伴って検知される加速度をもとに、携帯電話機１の状態を識別する。そして、携帯電話機１は、識別された状態が特定の条件を満たすときに監視モードへ遷移する。
【００３３】
より具体的な例を示すと、ユーザは、移動中などの携帯電話機１を使用しない時には、携帯電話機１をかばんや服のポケットに入れて携帯すると想定される。このような場合、携帯電話機１にかかる加速度を検知することで、携帯電話機がユーザと共に移動していることを識別できる。また、机などに携帯電話機１が置かれた場合には、机などに置く瞬間に発生する衝撃が検知された後、携帯電話機が静止するため加速度が検知されなくなる。このように、加速度の検知結果を用いることでユーザが携帯電話機１から離れたかどうかを推測することができる。そして、ユーザが携帯電話機１から離れたと判定できるときに、携帯電話機１は監視モードに遷移する。
【００３４】
次に、上ユニット部３について説明する。
【００３５】
上ユニット部３は、表示部９とレシーバ１０とカメラ２と背面表示部１２とを備えている。
【００３６】
表示部９は、ユーザが目的ごとにキー操作部を操作して携帯電話機１内の情報や図示しない内蔵アンテナを介して外部から受信した各種情報を表示する。
【００３７】
レシーバ１０は、通話中の会話やＷｅｂコンテンツなど外部から受信した音声データを出力する。カメラ２は、静止・動画撮影やＴＶ電話やその他、携帯電話機１の機能に応じて撮影、人物検知、やデータ保存をする。
【００３８】
背面表示部１２は、折りたたみ可能な携帯電話機１が閉じられた状態で、ユーザからの操作に応じて情報を表示する。
【００３９】
次に、本実施形態の携帯電話機１の内部構成について説明する。
【００４０】
図２は、本実施形態の携帯電話機の内部構成を示すブロック図である。
【００４１】
本実施形態の携帯電話機１は、制御部１０１と、送受信部１０２と、アンテナ１１３と、加速度センサ１０３と、表示部１０７（上述した表示部９に対応）と、キー操作部１０８（上述したキー操作部７に対応）と、モデルパターン部１１１と、判定部１１０と、切替部１０９と、開閉センサ１０５と、照度センサ１０４（上述した照度センサ窓５に対応）と、バイブ部１０６とを備えている。これらの各機能ブロック部は、制御部１０１の各制御用信号線を介してコントロールするように構成されている。
【００４２】
制御部１０１は、携帯電話機１の各種機能の制御全般をおこなうものであり、具体的にはＣＰＵ（Ｃｅｎｔｒａｌ  Ｐｒｏｃｅｓｓｉｎｇ  Ｕｎｉｔ）などで構成されている。前述した監視モード、モード遷移等、後述する加速度センサ１０３や、モデルパターン部１１１や、判定部１１０や、照度センサ１０４や、開閉センサ１０５や、切替部１０９を制御することによって、モード遷移処理を実現している。なお、以下で特に明記しない限り、加速度センサ１０３、照度センサ１０４、開閉センサ１０５が検知した各種のデータは、制御部１０１によって、その情報を必要とするブロックに転送される。
【００４３】
送受信部１０２は、アンテナ１１３より、たとえば、通話などをおこなうときに相手の会話音を受信し、またユーザの会話音を相手へ送信する。またインターネットを使用するときは、Ｗｅｂコンテンツを閲覧、ダウンロード（受信）したり、携帯電話機内のデータをアップロード（送信）する。
【００４４】
記憶部１１２は、携帯電話機１の制御をおこなうためのプログラムや各種ソフトウェアを記録するフラッシュメモリ（Ｆｌａｓｈ  Ｍｅｍｏｒｙ）や、各種ソフトウェア実行時、ＣＰＵからの実行コード・データやセンサの検知データを一時的に記憶し、データ情報の読み書きをおこなうための作業領域となるＲＡＭ（Ｒａｎｄｏｍ  Ａｃｃｅｓｓ  Ｍｅｍｏｒｙ）などで構成される。
【００４５】
表示部１０７は、ユーザが携帯電話機１を使用するときに、携帯電話機内の登録情報やアプリケーションやコンテンツや、送受信部を介してダウンロードしたＷｅｂコンテンツ等の情報を表示する。また、携帯電話機１は、監視モード中に携帯電話機１が開かれたときに、表示部１０７に待受け画面キャラクタを表示することで、監視モード中であることをユーザに知らせる。ユーザは、予め、ユーザ設定で待受け画面キャラクタを設定し、監視モード中のキャラクタ動作や表示方法を決める。
【００４６】
キー操作部１０８は、テンキー等によって構成される。ユーザは、使用目的に合わせて、キー操作部１０８によって、携帯電話機内にあるソフトウェアの各種機能の選択や設定や実行、またキー入力などの操作を行う。キー入力等の操作があると、キー操作部１０８は、制御部１０１へその操作に対応する操作信号を送る。
【００４７】
加速度センサ１０３は、携帯電話機１に対して発生した加速度を検知する。その検知データをもとに、判定部１１０は、携帯電話機１がユーザから離れた場所に置かれた状態であるかを判定する。なお、判定部１１０は、後述するモデルパターン部１１１に記憶されている微小動作パターンや明るさパターンを、加速度センサ１０３等の検知データと照らし合わせて、この判定を行う。詳細は後述する。
【００４８】
モデルパターン部１１１は、判定部１１０による携帯電話機１の状態の判定に使用するパターンを保持し、携帯電話機１の現時点の状態がどのパターンに該当するのかを識別する。ここで、パターンとは、携帯電話機１に対する加速度等によって分類した、携帯電話機の各瞬間における状態を指す。本実施形態のモデルパターン部１１１が記録しているパターンは、微小動作と、ＳＨＯＣＫと、姿勢静止と、明るさの４つである。微小動作は、比較的小さな加速度が継続的に発生している状態をパターン化した情報である。より具体的には、主にユーザが携帯電話機を服のポケットや、かばんに入れているときや、携帯電話機の使用時に発生する振動、および、携帯電話機の収納時や使用時の向きをパターン化している。ＳＨＯＣＫは、瞬間的に発生した大きな衝撃をパターン化した情報であり、大きな加速度が短時間に発生した場合がこれに当たる。より具体的には、ユーザが携帯電話機を手から離して、テーブルや床などに置くときに生じる衝撃をパターン化している。姿勢静止は、携帯電話機が静止している状態をパターン化している。より具体的には、一定のあいだ携帯電話機が静止した状態を維持することを静止パターンとし、またそのときの携帯電話機の向きもパターン化している。
【００４９】
図５は、本実施形態の携帯電話機１のモデルパターン部が識別するパターンの例を示す図である。モデルパターン部１１１は、加速度の大きさと時間の長さの関係から、携帯電話機１の現在の状態が微小動作と、ＳＨＯＣＫと、姿勢静止とのどれに該当するかを識別する。本実施の形態では、加速度の大きさは、図５の例のようにレベル０からレベル４までの加速度閾値を設けて分類している。また、時間の長さは、図５の例のように加速度が連続して検知された時間を期間０から期間４までの時間閾値を設けて分類している。これらの加速度と時間の関係から、モデルパターン部は、携帯電話機１の現在の状態が図５に示す微小動作と、ＳＨＯＣＫと、姿勢静止とのどれに該当するか（もしくはどれにも該当しないか）識別する。なお、加速度閾値や時間閾値は、固定的に定められたものであっても、ユーザが任意に設定できるものであるとしてもよい。
【００５０】
また、モデルパターン部１１１は、自身が識別したパターンの情報を記憶部１１２へ一時記憶する。ここで、後述する通り判定部１１０は、モードの切替を行うか否かの判定を行う際に、記憶部１１２に記憶されているパターンが時系列的にどう変化したか等を確認する。そのため、モデルパターン部１１１は、各時点で識別したパターンの情報を時系列的に沿った形で参照できるようなデータ構造で記憶する。例えば、配列やリスト、ＦＩＦＯキューの形で記憶することが考えられる。以下、このようなパターンの情報を時系列に沿って記憶されたパターンの情報をパターンの系列と呼ぶ。なお、モデルパターン部は、識別したパターンのみならず、判定部１１０が判定に使用する他の情報（例えば、「微小動作」のパターンの場合は、加速度センサから報告された振動の振幅量など）も記憶部１１２へ一時記憶する。
【００５１】
また、モデルパターン部１１１は、照度センサ１０４から通知された照度等の検出値の情報も、パターンの情報として、記憶部１１２へ一時記憶する。また、モデルパターン部１１１は、開閉センサ１０３、キー操作部１０８から入力された情報もパターンの情報として、記憶部１１２へ一時記憶する。なお、本実施の形態では、説明を簡単にするため、照度等の検出値はそのまま記憶部１１２へ記憶しているが、加速度の情報と同様、時間や閾値によって分類し、その分類結果をパターンの情報として一時記憶するとしても良い。
【００５２】
判定部１１０は、記憶部１１２へ一時記憶されたパターンの系列等を元に、携帯電話機１のモードを切り替えるべきか否かを判定する。判定部１１０は、モードを監視モードに切り替えるべきと判定する条件、および、監視モードを解除すべきと判定する条件についての情報を記憶している。この条件と記憶部１１２へ一時記憶されている実際のパターンの系列等の情報を照らし合わせることで、判定部１１０は、モードを監視モードへ切り替えるべきか、および、監視モードを解除すべきかを判定する。図６は判定部１１０が保持する条件を示した図である。条件は、微小動作の振幅量、微小動作の振幅時間、微小動作の振幅間隔、携帯電話機の静止期間、携帯電話機の姿勢、明るさ量、明るさ時間、明るさの変動の間隔（明るさ間隔）からなる。これらの情報は、判定部１１０が、記憶部１１２に記憶されているパターンの系列等の情報を解析することで得られる。判定部１１０は、記憶部１１２に記憶された一定期間のパターンの系列等の情報を解析した結果、これらの条件のいずれかが満たされる場合には、満たされた条件に対応するモード切替（ここでは、監視モードへの遷移もしくは監視モードの解除）を行うべきと判定する。なお、振動量等の情報を用いずに判定を行う場合、判定部１１０は、モードを切り替える条件としてパターンの系列そのものを利用しても良い。
【００５３】
ここで、図６が示す各条件の意味について説明する。条件６０１〜条件６０４は、携帯電話機１を監視モードに切り替える条件であり、携帯電話機１がユーザから手放された状態に相当する。また、条件６０５以下は監視モードを解除する条件である。
【００５４】
まず、携帯電話機１を監視モードに切り替える条件について説明する。
【００５５】
条件６０１は、時系列的に、微小振動、ＳＨＯＣＫ、姿勢静止のパターンが検出された場合を示す。これは、携帯電話機１が移動され（微小振動）、机等に置かれ（ＳＨＯＣＫ）、手放された（静止）状態を示す。
【００５６】
また、条件６０２は、時系列的に、微小振動、姿勢静止のパターンが検出された場合を示す。条件６０３は、時系列的に、ＳＨＯＣＫ、姿勢静止のパターンが検出された場合を示す。これらの条件は、条件６０１を構成するパターンのうち、加速度に関するいずれかのパターンの検知に失敗した場合であっても監視モードへ移行できるようにするための条件である。
【００５７】
また、条件６０４は、姿勢静止の状態が所定の時間（数分）以上継続した場合を示す。この条件は、長期間、携帯電話機１が動いていない場合を示す。
【００５８】
続いて、携帯電話機１の監視モードを解除する条件について説明する。
【００５９】
条件６０５は、時系列的に、開閉検出、携帯端末機の姿勢、キー操作、明るさのパターンが検出された場合を示す。これは、折り畳み可能な携帯電話機１が閉じられた状態で、ユーザが携帯電話機１を開き（開閉検出）、そのときのユーザが携帯電話機１を操作するときの携帯電話機１の方向・傾き（携帯端末機の姿勢）を検出し、ユーザが携帯電話機１のキーボタンを操作したか（キー操作）、ユーザが携帯電話機１にある照度センサ窓に指などで触れ方を検出（明るさ）した状態を示す。なお、検出すべき「携帯端末機の姿勢」のパターンの具体例としては、例えば、メインディスプレイがユーザ側に向いていること等が考えられる。
【００６０】
条件６０６は、時系列的に、開閉検出、携帯端末機の姿勢、明るさのパターンが検出された場合を示す。これは、条件６０５でキー操作のパターン検出を含まない状態である。
【００６１】
条件６０７は、時系列的に、開閉検出、キー操作、明るさのパターンが検出された場合を示す。これは、条件６０５で携帯端末機の姿勢の検出を含まない状態を示す。
【００６２】
条件６０８は、時系列的に、開閉検出、明るさのパターンが検出された場合を示す。
これは、条件６０５で、携帯端末機の姿勢、キー操作の検出を含まない状態を示す。
【００６３】
条件６０９は、時系列的に、携帯端末機の姿勢、キー操作、明るさのパターンが検出された場合を示す。これは、ストレート型の携帯端末機において、ユーザが操作するときの携帯端末機の方向・傾きの検出（携帯端末機の姿勢）、タッチパネルもしくはキーボタンのキー操作の検出（キー操作）、ユーザが照度センサ窓を指などでのかざし方（明るさ）で検出する状態を示す。
【００６４】
条件６１０は、時系列的に、キー操作、明るさのパターンが検出された場合を示す。
これは、条件６０９で、ユーザが使用するときの携帯端末機の姿勢を含まない状態を示す。
【００６５】
なお、判定部１１０が用いる条件はこれに限られるものではない。例えば、ユーザが任意に設定できるとしてもよい。また、図６に示している通り、監視モードへの解除の条件は、監視モードへの遷移のみならず他のモードへ遷移する条件としても使用しても良い。
【００６６】
切替部１０９は、携帯電話機１の各種制御状態を切り替えるものであり、判定部１１０によって判定された結果に応じて、携帯電話機１の動作モードを監視モードへ切り替える。また切替部１０９は、判定部１１０によって判定された結果に応じて、監視モードの解除をおこなう。
【００６７】
開閉センサ１０５は、携帯電話機１が閉じられているか開かれているかの状態を検知してその結果を制御部１０１に送信する。
【００６８】
照度センサ１０４は、環境光の強さを検知し、モデルパターン部１１１へ通知する。本実施形態で照度センサ１０４が通知する情報は、明るさ量、明るさ時間、明るさ間隔等の情報（以下、照度の検知値と呼ぶ）である。照度センサ１０４は、たとえば、携帯電話機１が監視モード中、携帯電話機１が開かれたことを開閉センサ１０５が検知した場合に作動し、照度の検知値を、制御部１０１経由でモデルパターン部１１１に送信する。なお、照度センサ１０４による照度の検知値は、判定部１１０およびモデルパターン部１１１による携帯電話機１の状態の判定に使用されるので、ユーザは照度センサ窓５へ指などをかざすことで、照度センサ１０４の検知値を意図的にコントロールして、携帯電話機１のモードを切り替えることができる。例えば、照度センサ窓５へ指などがかざされることで、検知される明るさが下がった場合は、ユーザが携帯電話を持った状態であると考えられる。その結果、判定部１１０は監視モードを切り替えるべきと判定し、切替部１０９は、監視モードを解除する。なお、携帯電話機１のモード切替の条件となる条件となる照度センサ窓５への指などでのかざし方は、ユーザ設定で変更可能である。例えば、１回かざす場合、２回かざす場合、数回かざす場合と調整可能である。また、ここでは、照度の検知値を携帯電話機１の監視モードの解除に用いているが、照度の検知値の変化、もしくはその変化の系列を、他のモードへ遷移させる条件としてもよい。また、本実施形態の携帯電話機１では、監視モード中に、照度センサ窓５を指などでかざす前に、キー操作などをおこなうと監視モード解除へ遷移できない。これは、ユーザによる監視モード解除の誤操作や第三者による覗き見など強引に監視モード解除されることを防ぐためである。すなわち、照度センサ窓５への指などのかざし方を知っているユーザが、そのかざし方で指などをかざした場合にしかモードが解除できないようにしている。これによってパスワード入力等よりも簡便な、ユーザ認証を行っている。
【００６９】
バイブ部１０６は、携帯電話機１に対する着信などがあるとバイブレーションを発生する。なお、特に本実施形態のバイブ部１０６は、監視モード中に、閉じられた携帯電話機１が開かれた場合にも稼動し、ユーザに監視モード中であることを事前に知らせる。バイブ部１０６の可動時間や振動はユーザで設定可能である。
【００７０】
次に本実施形態の携帯電話機の動作手順について、図３および図７のフローチャートを用いて説明する。なお、図３は携帯電話機１の監視モードへの切替に係る動作のフローチャートであり、図７は監視モードの解除に関わる動作のフローチャートである。本実施形態では、折り畳み可能な携帯電話機の場合を例にあげて説明する。
【００７１】
まず、制御部１０１によって、携帯電話機１が閉じられた状態で、かつユーザもしくは第三者によるキー操作が無いか判定する（ステップＳ３０１）。ここで、携帯電話機１が閉じられているか否かは開閉センサ１０５によって検知する。また、キー操作の有無は、キー操作部１０８によって検知する。携帯電話機１が閉じられた状態でキー操作がなければ（ステップＳ３０１／Ｙｅｓ）、携帯電話機１の動作は、ステップＳ３０２へ移行する。携帯電話機１が開かれた場合と、携帯電話機１が閉じられ、かつキー操作がある場合とは、携帯電話機１が閉じられ、かつキー操作があるまで判定を繰り返す（ステップＳ３０１／Ｎｏ）。この判定は、ユーザが本当に携帯電話機１を使用している状態にあるかを確認するために行っている。すなわち、携帯電話機１が開かれているか、閉じられているがキー操作がある場合には、ユーザが携帯電話機１を使用している可能性が高く、監視モードへの移行は必要ない。一方、携帯電話機１が閉じられており、かつ、キー操作がない場合は、携帯電話機１を閉じた状態で、ユーザが持っている、もしくは、ユーザの手元から携帯電話機１が離れていることが予想され、第三者による覗き見が起きる可能性がある。なお、携帯電話機１を閉じた状態でユーザが持っている場合にもステップＳ３０１の判定はＹｅｓになるが、これは、特に操作をせずに携帯電話機１を持っている場合、ユーザが近い将来に携帯電話機１を手元から離す可能性が高いためである。
【００７２】
ステップＳ３０２では、加速度センサ１０３および照度センサ１０４によって検知された情報がいずれかのパターンに該当するか否かを識別する。いずれかのパターンが識別できた場合（Ｓ３０２／Ｙｅｓ）、携帯電話機１の動作は、ステップＳ３０３へ移行する。どのパターンも識別できなかった場合（Ｓ３０２／Ｎｏ）、何らかのパターンが識別できるまでステップＳ３０２の動作が繰り返される。
【００７３】
ステップＳ３０３では、モデルパターン部１１１は、識別に成功したパターンを記憶部１１２に記憶する。この際、モデルパターン部１１１は、上記の通り、判定部１１０が取り扱い易いよう、時系列的に参照できるデータ構造でパターンを記憶する。また、パターンの情報以外の情報（上記の例では、振動の振幅量など）も必要であれば記憶する。
【００７４】
ステップＳ３０４では、判定部１１０によって、記憶部１１２に記憶されているパターンの系列等が解析される。
【００７５】
ステップＳ３０５では、判定部１１０によって解析結果が、監視モードへ移行する条件が満たされているか否かが確認される。条件が満たされていない場合、携帯電話機１の動作は、ステップＳ３０１に戻り、処理を最初から繰り返す。条件が満たされている場合、携帯電話機１の動作はステップＳ３０７へ進む。
【００７６】
ステップＳ３０６では、切替部１０９によって携帯電話機１の動作モードが監視モードへ切り替えられる。
【００７７】
続いて、図７を参照して、監視モードの解除の動作を説明する。
【００７８】
まず、ステップＳ６０１では、モデルパターン部１１１が、加速度センサ１０３および照度センサ１０４によって検知された情報がいずれかのパターンに該当するか否かを識別する。いずれかのパターンが識別できた場合（Ｓ６０１／Ｙｅｓ）、携帯電話機１の動作は、ステップＳ３０３へ移行する。どのパターンも識別できなかった場合（Ｓ６０１／Ｎｏ）、何らかのパターンが識別できるまでステップＳ６０１の動作が繰り返され、監視モードが継続される。なお、監視モードにおいて、携帯電話機１は、開かれたタイミングでバイブ部１０７が可動し、ユーザへ監視モードであることを通知する。さらに、携帯電話機１は、携帯電話機１が開かれたあとに表示部に表示される待受け画面の画像やキャラクタによって、監視モードであることを通知する。このような動作を行う理由は、携帯電話機１が第三者に渡ったときに、容易に覗き見をさせないためである。また、所定の時間内のキー操作は、監視モードを解除するためのトリガとなるものである。このキー操作の内容自体を秘密にすることで、監視モードが不用意に解除される可能性を更に下げることができる。
【００７９】
ステップＳ６０２では、モデルパターン部１１１は、識別に成功したパターンを記憶部１１２に記憶する。この際、モデルパターン部１１１は、上記の通り、判定部１１０が取り扱い易いよう、時系列的に参照できるデータ構造でパターンを記憶する。また、パターンの情報以外の情報（上記の例では、振動の振幅量など）も必要であれば記憶する。
【００８０】
ステップＳ６０３では、判定部１１０によって、記憶部１１２に記憶されているパターンの系列等が解析される。
【００８１】
ステップＳ６０４では、判定部１１０によって解析結果が、監視モードを解除する条件が満たされているか否かが確認される。条件が満たされていない場合、携帯電話機１の動作は、ステップＳ６０１に戻り、処理を最初から繰り返す。条件が満たされている場合、携帯電話機１の動作はステップＳ６０４へ進む。
【００８２】
ステップＳ６０５では、切替部１０９によって携帯電話機１の監視モードが解除される。
【００８３】
以上で、本実施の形態に係る携帯電話１の動作説明を終了する。
【００８４】
なお、上記の動作説明では、監視モードへの切り替えの際には携帯電話機１の開閉等を制御部１０１が判定し、監視モードの解除の際には携帯電話機１の開閉等も含めて判定部１１０が判定を行っていた。しかし、これに限られるものではなく、監視モードへの切り替えの際に判定部１１０が携帯電話機１の開閉等を判定したり、監視モードの解除の際に制御部１０１が携帯電話機１の開閉等を判定したりしてもよい。また、上述した実施の形態では、加速度センサ１０３、照度センサ１０４、開閉センサ１０５、キー操作部１０８からの情報を使ってモードの切替を行っていたが、これに限られるものではない。いずれかの情報を使わないようにしたり、他のセンサからの情報を使うようにしてもよい。
【００８５】
特に、本実施の形態では、加速度センサ１０３および照度センサ１０４の検知結果のような、携帯電話機１が置かれている周辺状況を検知するセンサを用いて携帯電話機１の状態を判定している。これにより、ユーザは複雑な入力を行わなくても携帯電話機１を監視モードへ切り替えたり、監視モードを解除したりすることができる。また、本実施の形態では、携帯電話機１が自身の置かれている周辺の状況に応じて、自動的に監視モードへ遷移したり、また、監視モードを解除したりする。そのため、本実施の形態に係る携帯電話機１は、監視モードの設定や解除に明示的な操作が必要であった従来技術と比べて、ユーザにとって利用しやすい装置となっている。特に本実施の形態による効果は、単純にユーザの入力が減るという効果のみにとどまらない。例えば、監視モードへの切り替えにユーザの明示的な操作が必要な装置の場合、以下のような問題が発生しうる。すなわち、例えば、夫が家族など身近な関係にある人の前でセキュリティロック機能を使用する場合、夫の家族は、夫が家族には言えないような如何わしい行為をしているのではないか、或いは好ましくない人と連絡を取り合って、家族の知らないところで何か言えないことをおこなっているのではないかなど、身近な人に疑いや誤解を抱かせ易い。そのため、従来のセキュリティロック機能は実際に使用することは、身近な人間関係に支障をきたす恐れがあった。一方、本実施の形態にかかる携帯電話機１であれば、携帯電話機１が、自身のおかれている状態に応じて監視モードへ切り替わるので、特殊な操作が必要なく、上記のような問題を回避することができる。
【００８６】
また、本実施形態では、折り畳み式の携帯電話機を例に説明したが、これに限られるものではない。各種センサが備わっている機器であれば、折り畳み以外の形状の携帯電話機や、電話機以外の携帯機器についても適用可能である。
【００８７】
また、上記の実施の形態では、携帯電話機の構成および動作を例として説明した。しかし上記の実施の形態に係る思想は、携帯電話機の動作を実現する方法、および、携帯電話機の動作を制御するプログラム又はその記録媒体として実現しても良い。
【産業上の利用可能性】
【００８８】
本発明は、電子機器全般に適用できる。特に監視モードのようなプライバシー保護機能を持つ電子機器に対して有効である。
【符号の説明】
【００８９】
１    携帯電話機
２    カメラ
３    上ユニット部
４    下ユニット部
５    照度センサ窓
６    マイク
７，１０８    キー操作部
８    ヒンジ部
９，１０７    表示部
１０    レシーバ
１１    スピーカ
１２    背面表示部
１０１    制御部
１０３    加速度センサ
１０４    照度センサ
１０５    開閉センサ
１０６    バイブ部
１０９    切替部
１１０    判定部
１１１    モデルパターン部
１１２    記憶部
【図１】
2011228872.tif 000003
【図２】
2011228872.tif 000004
【図３】
2011228872.tif 000005
【図４】
2011228872.tif 000006
【図５】
2011228872.tif 000007
【図６】
2011228872.tif 000008
【図７】
2011228872.tif 000009